(57)【要約】【課題】スペースの最小化および安定性の向上を図りながら、固定基台を格子構造体に固定することができる手段を提供する。【解決手段】食器等の保管・運搬・洗浄のための支持装置（１）が、支持プレート（２）および格子構造体（３）を備えている。格子構造体（３）は、矩形状、特に正方形状に配置された格子ロッド（５）によって囲まれる開口部（４）を有している。支持装置（１）によれば、固定基台（６）が格子構造体（３）の開口部（４）に締め付け作用により固定される。【選択図】  図１
2017030861.tif 000002
【特許請求の範囲】
【請求項１】
格子構造体（３）を有する少なくとも１つの支持プレート（２）を備え、食器または他のアイテムを保管、運搬または洗浄するための支持装置（１）であって、
前記格子構造体（３）は、矩形状または正方形状の開口部（４）を囲む矩形状または正方形状に配置されている格子ロッド（５）を有し、
前記支持装置（１）は、前記格子構造体（３）に対して締め付け作用により固定可能なまたは固定される少なくとも１つの固定基台（６）を備え、
前記固定基台（６）が、単一の矩形状または正方形状の前記開口部（４）に締め付け作用により固定可能であるまたは固定されることを特徴とする支持装置。
【請求項２】
請求項１記載の支持装置（１）において、前記開口部（４）を囲む前記格子ロッド（５）のそれぞれが、締め付け作用により前記固定基台（６）を前記開口部（４）に固定するための少なくとも１つの突起（７）を備えていることを特徴とする支持装置。
【請求項３】
請求項２記載の支持装置（１）において、前記突起（７）が、前記支持プレート（２）の上面を形成する前記格子ロッド（５）の表面に形成され、付加的または代替的に、前記支持プレート（２）のすべての前記突起（７）が共通の平面において終端しているまたは共通の平面を形成していることを特徴とする支持装置。
【請求項４】
請求項１〜３のいずれか１つに記載の支持装置（１）において、前記固定基台（６）が、対をなして相互に反対側に位置する少なくとも２つまたは４つのラッチング舌片（８）を備えていることを特徴とする支持装置。
【請求項５】
請求項４記載の支持装置（１）において、前記固定基台（６）を前記開口部（４）に対して固定するためのラッチング舌片（８）のそれぞれが、前記開口部（４）を囲んでいる前記格子ロッド（５）の１つの前記突起（７）の背後に係合し、代替的または付加的に、対をなして対向配置されているラッチング舌片（８）が相互に離間する方向に弾性的に付勢されていることを特徴とする支持装置。
【請求項６】
請求項４または５記載の支持装置（１）において、前記ラッチング舌片（８）が前記突起（７）の背後に係合するためのアンダーカット（２３）を有し、代替的または付加的に、前記ラッチング舌片（８）の弾性変形を容易にするためのギャップ（２４）が２つの隣接する前記ラッチング舌片（８）の間に設けられていることを特徴とする支持装置。
【請求項７】
請求項４〜６のいずれか１つに記載の支持装置（１）において、前記固定基台（６）が、前記突起（７）がプレート（２０）を有し、前記ラッチング舌片（８）の前記アンダーカット（２３）および前記プレート（２０）の間に遊びがないように前記突起（７）が挟み込まれ可能でありまたは挟み込まれ、前記固定基台（６）におけるすべての前記ラッチング舌片（８）の前記アンダーカット（２３）が、前記プレート（２０）から等距離に配置されていることを特徴とする支持装置。
【請求項８】
請求項１〜７のいずれか１つに記載の支持装置（１）において、前記固定基台（６）が４つのラッチング舌片（８）を備え、前記ラッチング舌片（８）が少なくとも部分的に仮想の長方形または正方形（９）の辺に沿って延在していることを特徴とする支持装置。
【請求項９】
請求項８記載の支持装置（１）において、前記固定基台（６）の中間部（２１）が、２つの隣接する前記ラッチング舌片（８）の間に設けられ、かつ、前記中間部（２１）が、前記ラッチング舌片（８）よりも前記固定基台（６）の回転軸線（２６）から短距離に配置されていることを特徴とする支持装置。
【請求項１０】
請求項１〜９のいずれか１つに記載の支持装置（１）において、前記支持プレート（２）および前記固定基台（６）のうち一方または両方が、部分的または全体的に合成樹脂により構成されていることを特徴とする支持装置。
【請求項１１】
請求項１〜１０のいずれか１つに記載の支持装置（１）において、前記固定基台（６）が前記開口部（４）のうち１つに固定されている状態で、前記格子ロッド（５）が前記格子構造体（３）の一方側に前記固定基台（６）から突出していることを特徴とする支持装置。
【請求項１２】
請求項１〜１１のいずれか１つに記載の支持装置（１）において、前記固定基台（６）が、前記ラッチング舌片（８）の間の領域において、回転工具またはスクリュードライバーを係合するための少なくとも１つの凹部（１０）を有し、代替的または付加的に、拡張ピンまたは拡張ねじ（１２）が前記固定基台（６）のラッチング舌片（８）の間の前記固定基台（６）の凹部（１１）に収容されていることを特徴とする支持装置。
【請求項１３】
請求項１〜１２のいずれか１つに記載の支持装置（１）において、前記固定基台（６）が、破損なく取り外し可能であり、かつ、支持部材またはその他の部材を固定するために用いられる連結手段またはねじブッシュ（１９）の形態の連結手段を備えていることを特徴とする支持装置。
【請求項１４】
請求項１〜１３のいずれか１つに記載の支持装置（１）において、前記固定基台（６）の前記ラッチング舌片（８）が前記開口部（４）に対して押し込まれまたは直線的に押し込まれることにより、前記固定基台（６）が前記格子構造体（３）に対して締め付け作用により固定可能でありまたは固定されることを特徴とする支持装置。
【請求項１５】
請求項１〜１４のいずれか１つに記載の支持装置（１）において、前記固定基台（６）の前記ラッチング舌片（８）が前記開口部（４）に対して押し込まれまたは直線的に押し込まれ、その後で前記固定基台（６）が前記開口部（４）において回転されることにより、前記固定基台（６）が前記格子構造体（３）に対して締め付け作用により固定可能でありまたは固定されることを特徴とする支持装置。
【発明の詳細な説明】
【技術分野】
【０００１】
本発明は、食器等の保管・運搬用の支持装置に関する。
【背景技術】
【０００２】
市販されている食器洗浄機、部品の工業用洗浄機および医療器具などの滅菌器では、部品の洗浄もしくは滅菌または洗浄または滅菌工程において食器が適当に保管されるように懸案となるタイプの支持装置が必要とされている。
【０００３】
当該タイプの支持装置は、工業用部品および食器等の運搬、保管、または運搬および保管のために特に工業物流などの物流において用いられる（特許文献１（特に図１２および図１５）参照）。保持ピンの固定基台は、２つの格子ロッドの交差箇所において当該格子ロッドに対して締め付け作用により固定されている。このため、固定基台を格子構造体に締め付け作用により固定するためには、合計４つの開口部が必要とされる。経験的には、格子状構造に対する固定基台のこの種の固定は、固定基台が格子構造体から不意に外れてしまう程度に比較的不安定である。
【０００４】
バヨネットキャッチ方式の第２のタイプの固定基台が知られている（特許文献１（特に図１３）参照）。しかし、当該固定基台を支持プレートに対して固定可能とするため、この形状に適合する支持プレートの開口部を必要とする（特許文献１（特に図１４）参照）。当該開口部はもはや矩形状ではなく、ここで問題にしているタイプのものではない。このような開口部は比較的大きなスペースを占めるため、開口部が相互に比較的離間して配置され、結果的に格子構造体における固定基台の位置の適応性が制限されている。さらに、矩形構造体が非矩形状の開口部を有しているため、ここで問題にしているタイプのものではなく、多くの場合、比較的汚れの蓄積の影響を受けやすい。
【先行技術文献】
【特許文献】
【０００５】
【特許文献１】ドイツ実用新案公報２０  ２０１４  １０２  ２１５  Ｕ１
【発明の概要】
【発明が解決しようとする課題】
【０００６】
矩形状、特に正方形状の開口部を有する格子構造体を備えている上記のタイプの支持装置において、本発明の目的は、スペースの最小化および安定性の向上を図りながら、固定基台を格子構造体に固定することができる手段を提供することである。
【課題を解決するための手段】
【０００７】
本発明は、格子構造体を有する少なくとも１つの支持プレートを備え、食器または他のアイテムを保管、運搬または洗浄するための支持装置であって、前記格子構造体は、矩形状または正方形状の開口部を囲む矩形状または正方形状に配置されている格子ロッドを有し、前記支持装置は、前記格子状構造に対して締め付け作用により固定可能なまたは固定される少なくとも１つの固定基台を備えている支持装置に関する。
【０００８】
本発明の支持装置は、前記固定基台が、単一の矩形状または正方形状の前記開口部に締め付け作用により固定可能であるまたは固定されることを特徴とする。
【０００９】
したがって、上記の従来技術とは異なり、本発明の基本的概念は、格子構造体の矩形状、特に正方形状の開口部のそれぞれに対して締め付け作用または挟み込み作用により固定基台を固定することにある。言い換えると、締め付け作用により固定基台を固定するために単一の矩形状、特に正方形状の開口部のみが必要とされる。必要に応じて、固定基台のそれぞれが、直接的に隣接している矩形状、特に正方形状の開口部に固定されうる。このように、特定の使用状態において望ましい場合、固定基台は相互に非常に近接して配置可能である。これにより、締め付け作用により固定基台が固定される支持プレートにおける開口部、ひいては位置の選択に関して最大の自由度が実現される。したがって、支持装置の実装適応性が向上する。さらに、固定基台が締め付け作用により単一の矩形状または正方形状の開口部に固定された場合、非常に安定した固定が実現される。
【００１０】
誤解を避け、説明の完全を期すため、本発明は、固定基台が、単一の矩形状、特に正方形状の開口部のみに対して締め付け作用より固定可能であり、その他の開口部に対して固定されないことを意味していないことに注意されたい。その代わりに、矩形状または正方形状の開口部の好ましくは同一の構成のおかげで、単一の固定基台が複数の開口部のうちの任意の一の開口部に対して固定される。一方、本発明によれば、当該複数の開口部のうち単一の開口部があれば、固定基台をそこに締め付け作用によって固定し、ひいては支持プレートに固定するために十分である。
【００１１】
上記のように、本発明の支持装置によれば、食器または他のアイテムの保管、運搬および洗浄のうち少なくとも１つに適用される。特に、この支持装置は市販されている食器洗浄機または部品の工業用洗浄機に用いられてもよい。本発明の支持装置は、例えば、医療器具の滅菌器に適用される。食器またはその他のアイテムの工業用保管等の保管および工業用運搬等の運搬は、本発明の支持装置が用いられ、あるいは設置される複数のセクタにおいて実行されてもよい。
【００１２】
本発明は、支持装置をそれぞれの目的に適合させる、すなわち、食器、工業用部品または滅菌対象物など支持装置において保管されるアイテムに適合させることが可能な非常に柔軟なモジュラーシステムを提供する。このため、固定基台は、支持プレートにおける所望の位置に固定可能である。その一方、多種多様な支持構造体またはその他の構造体を固定基台に固定することができる。これに関連して、支持構造体または他の構造体が固定プレートに対して一体的にまたは連結手段を介して固定され、連結手段はねじなどの破壊を伴わないで取り外されることが好ましい。固定基台が、支持構造体または他の構造体を固定基台に固定するための、好ましくはねじブッシュの形態の、破壊せずに解放可能な連結手段を有していることが好ましい。ねじブッシュは、例えば、金属製であってもよい。支持構造体または他の構造体は、例えばピン、ウェブ、壁、グリップ、十字形、モミの木状、多指状またはロッド状の起立部であってもよく、複数の支持装置の積み重ねを可能にするのに役立つ起立部であってもよい。原理的には、支持装置が特定の用途に適合するように、さまざまな構造体が固定基台に固定される。対応する壁状構造体により、支持装置がバスケットとして構成されてもよい。
【００１３】
支持プレートは格子構造体と、格子状ではない他の領域を有していてもよい。しかし、支持プレートは、完全に格子構造体として設計可能である。長方形状、または特に正方形状の開口部が、支持プレートを貫通する貫通孔であってもよいが、止まり穴であってもよい。格子ロッドは非常に異なるデザインを有していてもよい。例えば、格子ロッドは、リブ構造体またはウェブ構造体などであってもよい。その一方、本発明の好ましい実施形態によれば、開口部を囲む格子ロッドのそれぞれが、固定基台を開口部に対して締め付け作用により固定するための少なくとも１つの突起を有していてもよい。突起は、格子ロッドの残りの部分に比べて、広い断面を有する部分です。突起は、必須ではないが、少なくとも部分的に円形断面を有していてもよい。突起は、例えばマッシュルームヘッド等の他の形状を有していてもよい。例えば、固定基台を開口部に対して締め付け作用により固定するために用いられる一または複数のアンダーカットが一体的に突起に形成されていてもよい。突起は、支持プレートの上面を構成する格子ロッドの表面に任意の割合で形成されている。支持プレートのすべての突起が共通の平面で終端しまたは共通の平面を形成することが好ましい。言い換えると、好ましい実施形態によれば、すべての突起が、格子ロッドの他方側に等距離だけ延在し、それらの端部が格子ロッドの他の領域から離間して共通の平面状にある。
【００１４】
好ましい実施形態において、格子ロッドのリブ構造体およびウェブ構造体のうち一方または両方が、突起、好ましくはすべての突起と一体的に形成されている。これは、リブ構造体およびウェブ構造体のうち一方または両方は、突起と一体的に形成されていることを意味する。格子ロッドのリブ構造体およびウェブ構造体のうち一方または両方は、支持プレートの同じ側で突起から突出している。リブ構造体およびウェブ構造体によれば、実質的に支持プレートの安定性または耐荷重性を向上させることができる。
【００１５】
格子構造体の長方形、特に正方形の開口部の辺の長さは、４ｍｍ〜３５ｍｍの範囲にあり、特に６ｍｍ〜１８ｍｍの範囲にあることが好ましい。
【００１６】
本発明の好ましい実施態様において、固定基台が、対をなして相互に対向配置されている少なくとも２つ、好ましくは４つのラッチング舌片を有していてもよい。
【００１７】
好ましくは、開口部に固定基台を固定するためのラッチング舌片のそれぞれが、開口部を囲んでいる複数の格子ロッドのうち一のロッドの突起の背後に係合している。突起と同様に、ラッチング舌片には、それぞれの開口部に対する固定基台のクランプ固定の安定性を補助するまたは向上させるアンダーカットが形成されていてもよい。ラッチング舌片に突起の背後に係合するためのアンダーカットが設けられていることが好ましい。ラッチング舌片の弾性変形を容易にするために、２つの隣接するラッチング舌片の間に好ましくはギャップが配置されていてもよい。
【００１８】
固定基台がプレートを有し、ラッチング舌片の複数のアンダーカットおよびプレートの間に突起が好ましくは遊びがなく係合可能なまたは係合され、固定基台のすべてのラッチング舌片のすべてのアンダーカットがプレートから等距離に配置されている。
【００１９】
好ましくは、対をなして相互に対向配置されているラッチング舌片が、好ましくは相互に離間する方向に弾性的に付勢されることが好ましい。弾性的な付勢は、ラッチング舌片が始端位置から動かされた際、始端位置の方向にラッチング舌片を付勢する弾性復元力を受けることを意味している。ラッチング舌片が始端位置においてはそれ自体が付勢されている必要はない。
【００２０】
矩形状、特に正方形状の開口部への適合のため、本発明の好適な変形態様によれば、固定基台が、少なくとも部分的に仮想の長方形、特に正方形の辺に沿って延在している４つのラッチング舌片を有している。固定基台を締め付け作用により開口部に固定し、代替的または付加的に、固定基台をクランプ固定から解放するために、好適な変形態様によれば、固定基台が好ましくは複数のラッチング舌片の間の領域において、回転工具との係合のための少なくとも１つの凹部を有している。凹部の形状は、例えば、スクリュードライバー、六角レンチなどの特定の回転工具に適合させることが可能である。したがって、凹部はスリット状、十字形状または例えば六角レンチの窪みに対応する形状であってもよい。
【００２１】
一方、他のタイプの凹部は、拡張ピンまたは拡張ねじを受けることができる。拡張ピンまたは拡張スクリューを受ける凹部は、特に好ましくは固定基台のラッチング舌片の間に形成されている。これは、凹部に嵌合された拡張ピンまたは凹部に螺合された拡張ねじが、ラッチング舌片の変形または捩じれを防止することができる。このように、固定基台は、特に堅固かつ安定な締め付け作用により開口部に固定される。拡張ピンまたは拡張ねじが、固定基台の複数のラッチング舌片の間において、固定基台の凹部に収容されている。
【００２２】
固定基台が開口部に導入される形態および固定基台のタイプには異なる変形態様がある。第１グループの変形態様によれば、固定基台、好ましくはそのラッチング舌片が好ましくは直線的に開口部に挿入されることにより、固定基台が固定格子構造体に対して締め付け作用により固定可能でありまたは固定される。言い換えると、当該変形態様によれば、固定基台が単に開口部に対して十分な距離だけ押し込まれる。好ましい変形態様によれば、格子ロッドの突起においてラッチング舌片が弾性的に変形する。固定基台が開口部に対して締め付け作用により固定された終端位置において、ラッチング舌片がもっぱら突起の背後に係合する。
【００２３】
これに対して、本発明に係る他のタイプの固定基台によれば、固定基台が好ましくはそのラッチング舌片によって、好ましくは直線的に開口部に挿入され、かつ、固定基台が解雇凹部において回動されることにより、固定基台が格子構造体に対して締め付け作用によって固定可能でありまたは固定される。このタイプの固定基台は、上記従来技術とは対照的に、矩形状、特に正方形状の開口部に固定可能であるバヨネットキャッチ機構を構成する。このタイプの固定基台は、着用が影響を受けにくいので、より恒久的に使用される。特に、当該変形態様において、固定基台のラッチング舌片の間に中間部が、ラッチング舌片よりも固定基台の開口部における回転軸線から短距離に設けられている。２つの隣接するラッチング舌片の間に固定基台の中間部に設けられ、中間部が固定基台の回転軸からラッチング舌片よりも短距離に配置されている。平面視で複数のラッチング舌片および複数の中間部が八角形構造をなしていてもよい。この構造は線対称性および点対称性のうち一方または両方を有している。当該複数の中間部は、例えば、固定基台が開口部に挿入される際に格子ロッドに対して平行に配向されていてもよい。開口部における固定基台の回転により、固定基台のラッチング舌片が格子ロッドまたはその突起に係合し、これにより固定基台が締め付け作用により開口部において格子構造体に固定される。固定基台をクランプ固定から解放するため、固定基台が挿入時とは反対方向に回動させてもよい。その後、固定基台は、開口部から再び取り外される。中間部は、格子ロッドに対して再び平行に配向する。
【００２４】
本発明の支持装置によれば、支持プレートおよび固定基台は、原理的に金属、セラミックまたは他の材料から製造されうる。本発明の特に好ましい実施形態では、支持プレートおよび固定基台のうち一方または両方が、少なくとも部分的に、好ましくは完全に合成樹脂により形成されている。支持プレートおよび固定基台のうち一方または両方は、特に好ましくは射出成形部品として、例えば熱可塑性物質から作製されてもよい。
【００２５】
本発明のさらなる利点および詳細は、添付図面を用いて説明される。
【図面の簡単な説明】
【００２６】
【図１】本発明の第１実施形態としての支持装置の斜視図。
【図２】第１実施形態の支持装置の上面図。
【図３】第１実施形態の支持装置の一部領域の下面図。
【図４】本実施形態の支持装置の一部領域の縦断面図。
【図５】第１タイプの固定基台の下面図。
【図６】第１タイプの固定基台の上方斜視図。
【図７】第１タイプの固定基台の側面図。
【図８】第１タイプの固定基台の上面図。
【図９】第１タイプの固定基台の下方斜視図。
【図１０】図５の固定基台を格子構造体に固定する方法の説明図。
【図１１】第２タイプの固定基台の下面図。
【図１２】第２タイプの固定基台の上方斜視図。
【図１３】第２タイプの固定基台の側面図。
【図１４】第２タイプの固定基台の上面図。
【図１５】第２タイプの固定基台の下方斜視図。
【図１６】支持構造体が配置されている固定プレートの他の例示図。
【図１７】支持構造体が配置されている固定プレートの他の例示図。
【図１８】支持構造体が配置されている固定プレートの他の例示図。
【図１９】支持構造体が配置されている固定プレートの他の例示図。
【図２０】支持構造体が配置されている固定プレートの他の例示図。
【発明を実施するための形態】
【００２７】
図１に示されている支持装置１の支持プレート２は、本実施形態では正方形状に配置されている格子ロッド５によって囲まれている正方形状の開口部４を有している。本実施形態では、格子構造体３の開口部４は貫通孔として設計され、すべてが同じサイズを有している。支持装置１の他の好ましい実施形態においてもこの構成は採用される。開口部４のすべてが同じサイズであるため、固定基台６がすべての開口部４に対して締め付け作用により固定されるという利点がある。本発明によれば、固定基台６のそれぞれが締め付け作用により正方形状の開口部４に対して固定されている。さまざまな支持構造もしくは他の構造または構成部材が一体的または取り外し可能に固定基台６に対して固定されている。本発明によれば、グリップ１８が、固定基台６により支持プレート２に対して締め付け作用により固定されている。さらに、本実施形態において、別個の固定基台６が、十字状起立部１３、モミの木状起立部１４、多指状起立部１５およびロッド状起立部１６などのさまざまな支持構造体を担持している。起立部１３、１４、１５のそれぞれが対応する固定基台６に一体的に形成されている。図４に示されているように、ロッド状の起立部１６はそれぞれの固定基台６に拡張ねじ１２により螺着されている。いくつかの固定基台６は、その内部にねじブッシュ１９を担持している。他の構成部材が、ねじブッシュ１９に対して螺着により固定される。支持プレート２および固定基台６の両方が合成樹脂により形成されている。これ以外の材料は前記のとおりである。その一方、ねじブッシュ１９は金属により形成されている。ねじブッシュ１９に代えて、固定基台６は、対応する支持構造体または他の構造体が適当な方法で固定される単純な固定ホール２２を有していてもよい。本実施形態とは別に、壁状の構造体が、対応するバスケットを形成するために対応する固定基台６を介して支持プレート２に対して締め付け作用により固定されてもよい。
【００２８】
図１に示されているように、スタッキング起立部１７は、対応する固定基台６によって支持プレート２の四隅に設けられている。当該スタッキング起立部１７により、さらに別の支持装置１の支持プレート２’が支持プレート２、ひいては支持装置１に積み重ねられる。これは、図１の右上に示されている。
【００２９】
図１の斜視図から、格子ロッド５の突起７が少なくとも部分的に断面円形状であることがわかる。本実施形態では、突起７は固定基台６をそれぞれの開口部４に固定するのに役立つ。
【００３０】
図２には、図１の右上隅に示されている他の支持プレート２’が省略された、支持装置１の平面図が示されている。図２には、固定基台６のそれぞれが、ここでは正方形状の開口部４のそれぞれに締め付け作用により固定されていることが明確に示されている。
【００３１】
図３には、図１の支持装置１の一部領域の底面図が示されている。
【００３２】
図１〜図３においては、固定基台６の１つが、正方形状の開口部４のそれぞれに対して締め付け作用により固定されている状態にある。唯一の例外は、固定基台２５である。後ほど詳細に説明するように、固定基台２５は、開口部４に挿入されているが、まだ締め付け作用により開口部４に対してまだ固定されていない。
【００３３】
図４に示されている断面図によれば、まず第１に格子ロッド５の突起７は、支持プレート２の上面に形成されている。また、別個の固定基台６のラッチング舌片８は、そのアンダーカット２３により突起７の背後に係合し、これにより、本発明に係る固定基台６のそれぞれが、開口部４のそれぞれに対して締め付け作用により固定される。ラッチング舌片８のそれぞれは、突起７の背後に係合する方向に弾性的に付勢される。
【００３４】
複数のラッチング舌片８の間において、すべての固定基台６が、拡張ピンまたは拡張ねじ１２を挿入可能な凹部１１を有している。ラッチング舌片８がクランプ位置からそれ以上変形されることなく、結果的にそれぞれの固定基台６が特にしっかりと締め付け作用によりそれぞれの開口部４に固定されるように、拡張ねじ１２が図示されていない拡張ピンと同様にラッチング舌片８を支持する。ここで示されているように、拡張ねじ１２は同時に固定基台６に支持構造体または他の構成要素を固定基台６に固定するために用いられる。これは、図４において、拡張ねじ１２によってそれぞれ固定基台６に固定されているロッド状の起立部１６によって例示されている。
【００３５】
図５〜図９には、固定基台６が開口部４に挿入され、かつ、開口部４において回転されることにより、格子構造体３に締め付け作用によって固定可能な、第１タイプの固定基台６が例示されている。この目的のため、固定基台６が回転軸線２６の回りに回動される。図５の底面図から明らかなように、固定基台６は４対の相互に対向するラッチング舌片８を備えている。各対をなす相互に対向するラッチング舌片８が上記の形態で弾性的に付勢されている。４つのラッチング舌片８は、少なくとも部分的に、図５に示されているような仮想の正方形９の面に沿って延在している。２つの隣接するラッチング舌片８の間に中間部２１が、ラッチング舌片８よりも回転軸線２６から短距離に配置されている。ラッチング舌片８および中間部２１は全体として八角形状構造であり、線対称性および点対称性を有している。
【００３６】
複数のラッチング舌片８の間に、ラッチング舌片８をクランプ位置で支持または固定するため、拡張ピンまたは拡張ねじ１２が挿入可能な凹部１１が配置されている。また、図５〜図９に示されている固定基台６は、回転工具との係合のための凹部１０を有している。本実施形態では、２つの凹部１０がスクリュードライバーのためのスリットを形成している。スクリュードライバーは、固定基台６を開口部４に対して締め付け作用により固定し、または、再び固定基台６をクランプ固定から解放するように、回転軸線２６の回りに固定基台６を回転させるために用いられる。
【００３７】
図６および図９のそれぞれの斜視図から、ラッチング舌片８にアンダーカット２３が形成されていることがわかる。このアンダーカット２３により、ラッチング舌片８が突起７の背後に係合する。
【００３８】
本実施形態では、固定基台６がプレート２０をさらに有している。プレート２０は、突起７のそれぞれが、好ましくは遊びがないように、ラッチング舌片８とプレート２０との間に固定されるような当接部として機能する。支持構造体もしくは他の構造体またはその他の部材が、固定ホール２２に固定されてもよい。
【００３９】
図４から明らかなように、固定基台６が開口部４に対して固定される場合、格子ロッド５が、格子構造体３の一方側においてそれぞれの固定基台６よりも突出している。これにより、支持プレート２の当該一方側に固定された固定基台６が、格子ロッド５の間に隠され、かつ、支持プレート２から当該一方側に突出しないという効果が奏される。問題となる側は、もっぱら支持プレート２において突起７と反対側である。これにより、固定基台６が支持プレート２の開口部４に固定された際に支持プレート２よりも下方に突出しないという効果が奏される。そして、均一な支持面において、固定基台６を当該支持面と干渉させることなく支持プレート２をスライドさせることができる。
【００４０】
図１０は、図５〜図９に係る固定基台６を、支持プレート２における格子構造体３の開口部４に固定する方法を説明するのに役立つ。固定基台６を、格子構造体３の個々の開口部４に固定するため、固定基台６は、上記図面に示されている位置において開口部４に直線的に挿入される。この位置において、中間部２１が格子ロッド５に対して平行に配向されている。中間部２１がラッチング舌片８よりも回転軸線２６に対して近い位置にあるため、固定基台６がこの位置において開口部４に対して容易に挿入可能である。固定基台６がそのラッチング舌片８とともに適切な形態で開口部４に挿入されると、固定基台６は、例えば凹部１０にスクリュードライバーが挿入されることにより、ラッチング舌片８が締め付け作用により突起７の背後に係合し、これにより固定基台６が締め付け作用により開口部４に対して固定されるまで回転軸線２６の回りに回動される。対応する終端位置が図１０の下に示されている。
【００４１】
この終端位置において、必要に応じて、対応する拡張ねじ１２が凹部１０に螺合され、これにより固定基台６および格子構造体３の間の堅固かつ安定なクランプ連結を実現するため、ラッチング舌片８が後部においてさらに支持される。
【００４２】
固定基台６を開口部４から取り外すために、固定基台６が図１０の下に示されている位置から図１０の上に示されている位置に戻される場合、固定基台６をクランプ位置まで回転させた方向と同一方向に回転させることが可能である。あるいは、固定基台６を回転軸線２６の回りに反対方向に回転させることも可能である。図１０に示されている位置において、固定基台６は開口部４から容易に再び取り外される。
【００４３】
図１１〜図１５には、固定基台６の他の実施形態が示されている。このタイプの固定基台６は、固定基台６が好ましくは直線的に開口部４に押し込まれることにより、固定基台６を締め付け作用により格子構造体３に対して固定する目的のために用いられる。ここでも仮想の正方形９に沿って延在する４つのラッチング舌片８が配置されている。当該ラッチング舌片８は、線対称性および点対称性を有する構造を実現する。それぞれのラッチング舌片８の間に、固定基台６が格子構造体３の開口部４に押し込まれるときまたは開口部４から引き抜かれるとき、特にラッチング舌片８が突起７の間に押し込まれるときまたは取り外されるときにその弾性変形を可能とするギャップ２４が設けられている。ここでもラッチング舌片８のそれぞれが、突起７の背後に係合するアンダーカット２３を有している。開口部４に対する固定基台６のクランプ位置において、格子ロッド５の突起７がプレート２０およびラッチング舌片８のそれぞれのアンダーカット２３の間に固定されている。本実施形態では、ラッチング舌片８の間に拡張ねじ１２または相応の拡張ピンが挿入される凹部１１が、必要に応じてラッチング舌片８を後部で支持し、ひいては固定基台６を開口部４に安定にクランプ固定するために設けられている。このタイプの固定基台６が開口部４への押し込みまたは引き抜きに際して回転しないため、回転工具用の凹部１１が設けられている。
【００４４】
図１６〜図２０には、さまざまな支持構造体が配置されている本発明に係る固定プレート６が示されている。図１６、図１８、図１９および図２０には、起立部１３、１４、１５および１７のそれぞれが一体的に形成されている。図１７には、任意の所望の支持構造体または他の構造体が螺着される、好ましくは金属製のねじブッシュ１９が形成されている固定基台６の一実施形態が示されている。
【符号の説明】
【００４５】
１‥支持装置、２，２’‥支持プレート、３‥格子構造体、４‥開口部、５‥格子ロッド、６‥固定基台、７‥突起、８‥ラッチング舌片、９‥仮想の正方形、１０‥凹部、１１‥凹部、１２‥拡張ねじ、１３‥十字状起立部、１４‥モミの木状起立部、１５‥多指状起立部、１６‥ロッド状起立部、１７‥スタッキング起立部、１８‥グリップ、１９‥ねじブッシュ、２０‥プレート、２１‥中間部、２２‥固定ホール、２３‥アンダーカット、２４‥ギャップ、２５‥固定基台、２６‥回転軸線。
【図１】
2017030861.tif 000003
【図２】
2017030861.tif 000004
【図３】
2017030861.tif 000005
【図４】
2017030861.tif 000006
【図５】
2017030861.tif 000007
【図６】
2017030861.tif 000008
【図７】
2017030861.tif 000009
【図８】
2017030861.tif 000010
【図９】
2017030861.tif 000011
【図１０】
2017030861.tif 000012
【図１１】
2017030861.tif 000013
【図１２】
2017030861.tif 000014
【図１３】
2017030861.tif 000015
【図１４】
2017030861.tif 000016
【図１５】
2017030861.tif 000017
【図１６】
2017030861.tif 000018
【図１７】
2017030861.tif 000019
【図１８】
2017030861.tif 000020
【図１９】
2017030861.tif 000021
【図２０】
2017030861.tif 000022